(57)【要約】【課題】ユーザー自身が自分自身の望むように簡単に左右のテンプルの間隔を調整でき、しかも、長期にわたる使用に際しても調整が狂い難くしつつ、既存の部品の形状をできるだけ変更しないで、組み付けの手間を低減する。【解決手段】フレームレスのめがね１は、左右の鎧９，１０と左右のテンプル１１，１２との間、左右のテンプル１１，１２と左右の掛止杆１５，１６との間、左右のノーズパッド５，６と左右のノーズパッド連結杆７，８との間に、それぞれ、ボールジョイント１７，１８，１９，２０，２１，２２が設けられている。これらのボールジョイント１７，１８，１９，２０，２１，２２により、左右のテンプル１１，１２の間隔およびそれらの個々の位置、左右の掛止杆１５，１６の間隔およびそれらの個々の位置、および左右のノーズパッド５，６およびそれらの個々の位置を簡単に調整することができる。【選択図】    図１
2005055536.tif 000002
【特許請求の範囲】
【請求項１】
左右のめがねレンズと、これらの左右のめがねレンズを連結するブリッジと、前記左右のめがねレンズにそれぞれ連結される左右の鎧と、これらの左右の鎧にそれぞれ回動可能に連結される左右のテンプルと、これら左右のテンプルの鎧との連結側と反対側に設けられる左右の掛止杆と、前記左右のめがねレンズにそれぞれ左右のノーズパッド連結杆を介して取り付けられる左右のノーズパッドとを備えているめがねにおいて、
前記左右の鎧と前記左右のテンプルとがそれぞれボールジョイントを介して連結されていることを特徴とするめがね。
【請求項２】
前記ボールジョイントは、前記左右の鎧と前記左右のテンプルとのいずれか一方に接続されかつボールを有する第１ジョイント部材と、この第１ジョイントに対して相対回動可能に連結されるとともに前記左右の鎧と前記左右のテンプルとのいずれか他方に接続され、更に前記ボールを収容するボール収容部を有する第２ジョイント部材とからなり、
前記ボール収容部は、軸方向に沿って少なくとも内径の一部が変化する筒状に形成されているとともに、このボール収容部に、前記第１ジョイント部材が前記第２ジョイント部材に対して直角またはほぼ直角に回動可能にする溝が形成されていることを特徴とする請求項１記載のめがね。
【請求項３】
左右のめがねレンズと、これらの左右のめがねレンズを連結するブリッジと、前記左右のめがねレンズにそれぞれ連結される左右の鎧と、これらの左右の鎧にそれぞれ回動可能に連結される左右のテンプルと、これら左右のテンプルの鎧との連結側と反対側に設けられる左右の掛止杆と、前記左右のめがねレンズにそれぞれ左右のノーズパッド連結杆を介して取り付けられる左右のノーズパッドとを備えているめがねにおいて、
前記左右のノーズパッドと前記左右のノーズパッド連結杆とがそれぞれボールジョイントを介して連結されていることを特徴とするめがね。
【請求項４】
更に、前記左右のテンプルと前記左右の掛止杆とが第３のボールジョイントを介して連結されていることを特徴とする請求項１ないし３のいずれか１記載のめがね。
【発明の詳細な説明】
【０００１】
【発明の属する技術分野】
本発明は、左右のめがねレンズを支持するフレームを有さないが、左右の鎧と左右のテンプルと左右のノーズパッドとを有するめがねの技術分野に属し、特に、めがねのユーザーの顔に効果的にフィットすることのできるめがねの技術分野に属するものである。なお、本発明に説明において、「左右」はユーザーから見て「左右」である。
【０００２】
【従来の技術】
従来、めがねとしては、図３（ａ）に示すフレームを有さないめがねが一般的に知られている。図中、１はめがね、２，３はめがねレンズ、４はブリッジ、５，６はノーズパッド、７，８はノーズパッド連結杆、９，１０は鎧、１１，１２はテンプル、１３，１４はヒンジ、１３ａ，１４ａは鎧側ヒンジ部材、１３ｂ，１４ｂはテンプル側ヒンジ部材、１３ｃ，１４ｃはヒンジピン、１５，１６は掛止杆である。
【０００３】
このめがね１においては、左右のめがねレンズ２，３がブリッジ４により互いに連結されている。そして、左右のめがねレンズにそれぞれ左右の鎧９，１０が固定されているとともに、これらの鎧９，１０に左右のテンプル１１，１２がそれぞれ左右のヒンジ１３，１４を介して回動可能に連結されている。
【０００４】
図３（ｂ）に示すように、左側のヒンジ１３は、鎧９に固定された鎧側ヒンジ部材１３ａ、テンプル１１に固定されたテンプル側ヒンジ部材１３ｂ、およびこれらの鎧側ヒンジ部材１３ａとテンプル側ヒンジ部材１３ｂとを回動可能に連結するヒンジピン１３ｃから構成されている。なお、図３に概略的に示すが、右側のヒンジ１４も、左側のヒンジ１３と同様に、鎧１０に固定された鎧側ヒンジ部材１４ａ、テンプル１２に固定されたテンプル側ヒンジ部材１４ｂ、およびこれらの鎧側ヒンジ部材１４ａとテンプル側ヒンジ部材１４ｂとを回動可能に連結するヒンジピン１４ｃから構成されている。
【０００５】
また、左右のめがねレンズ２，３には、ユーザーの鼻にあてがわれる左右のノーズパッド５，６がそれぞれ左右のノーズパッド連結杆７，８を介して設けられている。その場合、各ノーズパッド５，６はそれぞれ対応するノーズパッド連結杆７，８にほんのわずか揺動可能に支持されて、ユーザーの鼻の形状に整合するようにしている。
更に、左右のテンプル１１，１２のヒンジ１３，１４と反対側に、ユーザーの左右の耳にそれぞれ掛けられる掛止杆１５，１６が設けられている。
【０００６】
このように構成されているめがね１は、非使用時には、左右のテンプル１１，１２がそれぞれ左右のヒンジ１３，１４において内側に左右のめがねレンズ２，３とほぼ平行になるように折り曲げられて、保管される。
【０００７】
また、めがね１は、使用時には、図３（ａ）に示すように左右のテンプル１１，１２がそれぞれ左右のヒンジ１３，１４において外側に左右のめがねレンズ２，３とほぼ直角になるように拡げられて、ユーザーの顔に装着可能な状態にされる。そして、左右のめがねレンズ２，３がユーザーの左右の目に対向するようにして、左右のノーズパッド５，６がユーザーの鼻にあてがわれ、かつ左右の掛止杆１５，１６がユーザーの左右の耳にそれぞれ掛けられることで、めがね１はユーザーの顔に装着される。
【０００８】
ところで、この従来のめがね１においては、図３（ａ）に示すように左右のテンプル１１，１２がそれぞれ拡げられた装着可能状態に設定されたときに、左右のテンプル１１，１２の間隔がユーザーの顔の左右の幅にフィットしないことが多い。
【０００９】
そこで、従来は、例えば図３（ｂ）に示すように、左側のテンプル１１の長さを変えて、テンプル１１の前端１１ａが鎧９に当接する時のテンプル１１の回動角θを調整する（図示しないが、右側のテンプル１２も同じである）ことで、左右のテンプル１１，１２の間隔を概略的に調整するとともに、左右のテンプル１１，１２を湾曲して塑性変形させて微調整することで、ユーザーの顔の左右の幅にフィットするようにしている。
【００１０】
しかしながら、このような従来の調整方法では、ユーザーがめがねを購入する際、一々、ユーザーの顔にあてがってその幅に応じて調整する必要があり、調整作業が煩雑となっている。
【００１１】
また、めがね１がユーザーの顔に、必ずしもユーザーが望むようにフィットするとは限らない。しかも、めがね１を長期間使用したとき、左右のテンプル１１，１２の間隔が緩んで、調整が狂ってしまうという問題もあり、この場合には再度の調整がきわめて面倒でありかつ正確に調整されない場合が多い。
【００１２】
そこで、一端がめがねのフレームのリムに取り付けられた鎧部の他端を巻いて環状に形成し、この環状部分に環状の連結部材を弾発的に巻いた状態で嵌合かつ回動可能にし、更にこの連結部材にテンプルの一端を固定して、鎧とテンプルとを長期間にわたって所定の弾発状態で保持することで、めがねが顔に掛けにくくなる恐れをなくすことが提案されている（例えば、特許文献１を参照）。
【特許文献１】
特開２０００−１００５３号公報（段落番号［００１０］、［００１５］、［００２０］、［００３７］、図３〜図５、要約）
【００１３】
【発明が解決しようとする課題】
しかしながら、この特許文献１に開示のめがねでは、テンプルは、環状の連結部材が含まれる面内における、環状の連結部材の中心軸｛図３（ａ），（ｂ）に示すヒンジピン１３ｃに相当｝回りの回動のみで調整が行われるため、ユーザー自身が自分自身の望むように簡単に左右のテンプルの間隔を調整することは難しい。また、鎧やテンプルを従来の形状から大きく離れた複雑な形状にせざるを得ないばかりでなく、連結部材および上部飾りや下部飾り等の他の部品を必要として部品点数が多いため、組み付けに手間がかかるという問題もある。
【００１４】
本発明はこのような事情に鑑みてなされたものであって、その目的は、ユーザー自身が自分自身の望むように簡単に左右のテンプルの間隔を調整でき、しかも、長期にわたる使用に際しても調整が狂い難くしつつ、既存の部品の形状をできるだけ変更しないとともに、組み付けの手間を低減することのできる安価なフレームレスのめがねを提供することである。
【００１５】
【課題を解決するための手段】
上記の問題点を解決するために、請求項１の発明は、左右のめがねレンズと、これらの左右のめがねレンズを連結するブリッジと、前記左右のめがねレンズにそれぞれ連結される左右の鎧と、これらの左右の鎧にそれぞれ回動可能に連結される左右のテンプルと、これら左右のテンプルの鎧との連結側と反対側に設けられる左右の掛止杆と、前記左右のめがねレンズにそれぞれ左右のノーズパッド連結杆を介して取り付けられる左右のノーズパッドとを備えているめがねにおいて、前記左右の鎧と前記左右のテンプルとがそれぞれボールジョイントを介して連結されていることを特徴としている。
【００１６】
また、請求項２の発明は、前記ボールジョイントが、前記左右の鎧と前記左右のテンプルとのいずれか一方に接続されかつボールを有する第１ジョイント部材と、この第１ジョイントに対して相対回動可能に連結されるとともに前記左右の鎧と前記左右のテンプルとのいずれか他方に接続され、更に前記ボールを収容するボール収容部を有する第２ジョイント部材とからなり、前記ボール収容部が、軸方向に沿って少なくとも内径の一部が変化する筒状に形成されているとともに、このボール収容部に、前記第１ジョイント部材が前記第２ジョイント部材に対して直角またはほぼ直角に回動可能にする溝が形成されていることを特徴としている。
【００１７】
更に、請求項３の発明は、左右のめがねレンズと、これらの左右のめがねレンズを連結するブリッジと、前記左右のめがねレンズにそれぞれ連結される左右の鎧と、これらの左右の鎧にそれぞれ回動可能に連結される左右のテンプルと、これら左右のテンプルの鎧との連結側と反対側に設けられる左右の掛止杆と、前記左右のめがねレンズにそれぞれ左右のノーズパッド連結杆を介して取り付けられる左右のノーズパッドとを備えているめがねにおいて、前記左右のノーズパッドと前記左右のノーズパッド連結杆とがそれぞれボールジョイントを介して連結されていることを特徴としている。
更に、請求項４の発明は、更に、前記左右のテンプルと前記左右の掛止杆とが第３のボールジョイントを介して連結されていることを特徴としている。
【００１８】
【作用】
このように構成された本発明のめがねにおいては、左右のめがねレンズにそれぞれ連結された左右の鎧と左右のテンプルとが、それぞれ、ボールジョイントを介して連結される。
【００１９】
したがって、左右のテンプルがユーザー自身によって所望の方向に所望量だけ回動されることにより、これら左右のテンプルの間隔およびそれらの個々の位置が簡単に調整されるようになる。これにより、本発明のめがねは、左右のテンプルをそれぞれユーザーの顔にユーザーが望むように適切にかつ容易にフィットさせることが可能となる。
【００２０】
その場合、左右のめがねレンズにそれぞれ左右の鎧を連結することで、ボールジョイントを設けても、左右のめがねレンズの有効領域が広くなる。
また、左右のめがねレンズにそれぞれ連結された左右の鎧を用いているので、左右のめがねレンズと左右の鎧との取付構造が従来と変更しないため、組み付けの手間が低減するとともに、ボールジョイントを設けても、めがね全体のコスト増が抑制される。
【００２１】
更に、左右のノーズパッドと左右のノーズパッド連結杆とが、それぞれ、ボールジョイントを介して連結される。したがって、左右のノーズパッドがユーザー自身によって所望の方向に所望量だけ回動されることにより、これら左右のノーズパッドの間隔およびそれらの個々の位置が簡単に調整されるようになる。これにより、本発明のめがねは、左右のノーズパッドをユーザーの鼻にユーザーが望むように適切にかつ容易にフィットさせることが可能となる。
【００２２】
更に、左右のテンプルと左右の掛止杆とが、それぞれ、第３のボールジョイントを介して連結される。したがって、左右の掛止杆がユーザー自身によって所望の方向に所望量だけ回動されることにより、これら左右のノーズパッドの間隔およびそれらの個々の位置が簡単に調整されるようになる。これにより、本発明のめがねは、左右の掛止杆をユーザーの耳にユーザーが望むように適切にかつ容易にフィットさせることが可能となる。
【００２３】
しかも、ボールジョイントがめがねの左右の複数箇所に設けることで、前述の調整がより一層きめ細かく行われるようになり、めがねがユーザーの顔に、より一層適切にフィットされる。
【００２４】
更に、ボールジョイントのボールがボール収容部により所定の挟持力で挟持されることで、ボールの位置が確実にかつ安定して保持されるようになる。したがって、めがねが長期間使用されても、調整の狂いが抑制されるようになる。
【００２５】
更に、ボールジョイントの第１および第２ジョイント部材が着脱可能に連結されるようになる。これにより、第１および第２ジョイント部材の一方とノーズパッドとが接続されたものを予め用意することで、ノーズパッドが汚れて変色しても、そのノーズパッドのみを簡単に交換することが可能となり、安価に新品と同様のものにすることができる。
【００２６】
更に、ボールジョイントは第１および第２ジョイント部材の２部材からなるだけであるので、前述の特許文献１に開示の従来のめがねに比べて構造が簡単で、部品点数が少なく、組み付けが簡単になるとともに、市販のボールジョイントを利用することも可能であるので、めがねがより安価に製造される。しかも、ボールジョイントの第１および第２ジョイント部材は、それぞれ、既存のめがねレンズ、既存の鎧、既存のテンプルに連結可能であるので、これらの既存のめがね部品の形状等の大幅な設計変更が回避される。
【００２７】
【発明の実施の形態】
以下、図面を用いて本発明の実施の形態について説明する。
図１は、本発明にかかるめがねの実施の形態の一例を示す、図３（ａ）と同様の斜視図、図２は、この例のめがねに用いられるボールジョイントを示し、（ａ）はその分解斜視図、（ｂ）はその部分断面図、（ｃ）は組み付け状態を示す部分断面図である。なお、前述の図３に示す従来のめがね１と同じ構成要素には同じ符号を付すことで、その詳細な説明は省略する。また、図１では、めがねレンズ２，３と重なりかつこれらのめがねレンズ２，３のユーザー側にある構成要素は点線で示されている。
【００２８】
図１に示すように、この例のめがね１は、前述の図３（ａ）に示す従来例と同様に左右のめがねレンズ２，３にそれぞれ左右の鎧９，１０を連結し、これらの左右の鎧９，１０にそれぞれ左右のテンプル１１，１２がボールジョイント１７，１８を介して回動可能に連結されている。また、左右のテンプル１１，１２と左右の掛止杆１５，１６との間に、それぞれボールジョイント１９，２０が設けられている。更に、左右のノーズパッド５，６と左右のノーズパッド連結杆７，８との間にも、それぞれボールジョイント２１，２２が設けられている。
【００２９】
この例のめがね１においては、これらのボールジョイント１７，１８，１９，２０，２１，２２は、いずれもほぼ同じ構造を有している。そこで、代表として、右側のボールジョイント１８について説明する。
【００３０】
図２（ａ）に示すように、ボールジョイント１８は、軸２３ａとこの軸２３ａの先端に設けられたボール２３ｂを有する第１ジョイント部材２３、および軸２４ａとこの軸２４ａの先端に設けられた横断面円形の有底筒状のボール収容部２４ｂを有する第２ジョイント部材２４から構成されている。第１および第２ジョイント部材２３，２４は、いずれも、合成樹脂あるいは軽金属から形成されている。
【００３１】
第２ジョイント部材２４のボール収容部２４ｂの筒状部２４ｂ１は所定の弾性を有しており、その先端の開口端面２４ｂ２は内側に傾斜する傾斜面とされている。また、図２（ｂ）に示すように筒状部２４ｂ１の内周面の径は開口端面２４ｂ２から底部２４ｂ３に向かって徐々に連続して大きくなるように設定されている。そして、ボール２３ｂの直径αがボール収容部２４ｂの開口端面２４ｂ２の内周径βより大きく、ボール収容部２４ｂの底部２４ｂ３の内周径より小さく設定されている。
【００３２】
図２（ｃ）に示すように、ボール２３ｂはボール収容部２４ｂ内に押し込まれて収容されることでボールジョント１８が構成される。その場合、ボール２３ｂがボール収容部２４ｂ内に押し込まれるときは、このボール２３ｂが傾斜面の開口端面２４ｂ１を押圧することで、筒状部２４ｂ１の先端側が弾性変形して押し拡げられ、ボール２３ｂはボール収容部２４ｂ内に進入するようになっている。
【００３３】
ボール収容部２４ｂの筒状部２４ｂ１には、前端に開放する軸方向の溝２４ｃが設けられており、この溝２４ｃの周方向の幅は、第１ジョイント部材２３の軸２３ａが進入可能でかつ軸２３ａが進入した状態で溝２４ｃの幅方向にあまりガタつかない程度の大きさに設定されている。また、溝２４ｃの深さ（軸方向の長さ）は、図２（ｃ）に示すように軸２３ａが実線で示す第２ジョイント部材２４の軸２４ａと一直線をなす位置Ａに対してほぼ直角の二点鎖線で示す位置Ｂに回動可能な大きさに設定されている。
【００３４】
更に、図２（ｃ）に二点差線で示すように、筒状部２４ｂ１の溝２４ｃ以外の部分では、軸２３ａは開口端面２４ｂ２の内周縁に当接する位置Ｃまで回動可能となっている。すなわち、軸２３ａは筒状部２４ｂ１の周方向３６０度どの部分に向かっても回動可能である。その場合、軸２３ａは筒状部２４ｂ１の溝２４ｃの部分では位置Ａまでほぼ直角に回動可能であり、また筒状部２４ｂ１の溝２４ｃ以外の部分では、開口端面２４ｂ２の内周縁に当接する（例えば、位置Ｃ）まで回動可能である。
【００３５】
ボール２３ｂがボール収容部２４ｂ内に収容された図２（ｃ）に示す状態では、筒状部２４ｂ１は図２（ｂ）に示す自由状態より弾性変形しており、その弾性復元力でボール２３ｂをボール収容部２４ｂの底部２４ｂ３に押し付けられている。したがって、この状態では、ボール２３ｂは筒状部２４ｂ１と底部２４ｂ３とにより所定の力で挟持されている。
【００３６】
そして、ボール２３ｂは、回動方向に所定以上の回動外力が加えられない限り、この所定の挟持力による筒状部２４ｂ１および底部２４ｂ３との間の摩擦力でその位置に保持されるようになっている。すなわち、軸２３ａつまり第１ジョイント部材は、前述の回動範囲内で例えば二点差線で示す位置Ｄに回動して停止したとき、所定以上の回動外力が加えられない限りその回動位置Ｄに保持され、また、所定以上の回動外力が加えられた場合にはその回動位置Ｄから筒状部２４ｂ１および底部２４ｂ３に対して相対的に回動するようになっている。
【００３７】
また、ボール２３ｂは、ボール収容部２４ｂから引き抜く方向に所定以上の引き抜き外力が加えられない限り、このボール収容部２４ｂから引き抜かれなく、また、所定以上の引き抜き外力が加えられたときは、このボール収容部２４ｂから引き抜くことができるようになっている。すなわち、第１および第２ジョイント部材２３，２４は互いに着脱可能に連結されるようになっている。
このようなボールジョイントは、構造が簡単であるのでその製造が容易であり、また、例えばワヨー株式会社製のボールジョイント等の市販のボールジョイントを応用することもできる。
【００３８】
そして、左右のボールジョイント１７，１８の軸２３ａに左右のテンプル１１，１２の一端がそれぞれ連結されているとともに、左右のボールジョイント１７，１８の軸２４ａに左右の鎧９，１０がそれぞれ連結されている。また、左右のボールジョイント１９，２０の軸２３ａに左右の掛止杆１５，１６がそれぞれ連結されているとともに、左右のボールジョイント１７，１８の軸２４ａに左右のテンプル１１，１２の他端がそれぞれ連結されている。更に、左右のボールジョイント２１，２２の軸２３ａに左右のノーズパッド５，６がそれぞれ連結されているとともに、左右のボールジョイント２１，２２の軸２４ａに左右のノーズパッド連結杆７，８がそれぞれ連結されている。なお、軸２３ａ，２４ａとこれらの軸２３ａ，２４ａに連結される部材は、前述の逆でもよい。また、軸２３ａ，２４ａは省略することもでき、この場合には、前述の軸２３ａ，２４ａに連結される部材は、直接、ボールジョイントのボール２３ｂあるいはボール収容部２４ｂに連結することもできる。
この例のめがね１の他の構成は、前述の図３に示す従来のめがねと同じである。
【００３９】
このように構成されたボールジョイント１７，１８，１９，２０，２１，２２においては、まず、左右のめがねレンズ２，３にそれぞれ連結される左右のボールジョイント１７，１８は、図３に示すように第２ジョイント部材２４の軸２４ａに連結された鎧９，１０はそれぞれ左右のめがねレンズ２，３に従来と同様の取付方法で連結される。
【００４０】
一方、左右の第１ジョイント部材２３はそれぞれ左右のテンプル１１，１２に接続されるとともに、左右の第２ジョイント部材２４はそれぞれ左右の鎧９，１０に接続される。これらの接続方法としては、図示しないが、ねじによる接続方法、接着剤による接続方法、ロウ付け等による接続方法を始め、既存の接続方法を用いることができる。そして、各ボールジョイント１７，１８は、左右のテンプル１１，１２がそれぞれこれらのボールジョイント１７，１８において内側に左右のめがねレンズ２，３にほぼ平行に折り曲げることができるように、それらの溝２４ｃが互いに対向するように内向きに向けられて設けられている（図１に、ボールジョイント１８の溝２４ｃが概略的に示されているとともに、テンプル１２が左右のめがねレンズ２，３にほぼ平行に折り曲げられた状態が二点差線で示されている。）。
【００４１】
また、左右のテンプル１１，１２および左右の掛止杆１５，１６とボールジョイント１９，２０接続方法、左右のノーズパッド５，６および左右のノーズパッド連結杆７，８とボールジョイント２１，２２の接続方法も、いずれも、前述の左右のテンプル１１，１２および左右の鎧９，１０とボールジョイント１７，１８の接続方法と同じである。
【００４２】
この例のめがね１によれば、左右のめがねレンズ２，３にそれぞれ取り付けられた左右の鎧９，１０と左右のテンプル１１，１２との間、左右のテンプル１１，１２と左右の掛止杆１５，１６との間、および左右のノーズパッド５，６と左右のノーズパッド連結杆７，８との間に、それぞれボールジョイント１７，１８，１９，２０，２１，２２を設けているので、左右のテンプル１１，１２をユーザー自身によって所望の方向に所望量だけ回動することで、左右のテンプル１１，１２の間隔およびそれらの個々の位置を簡単に調整することができ、また、左右の掛止杆１５，１６をユーザー自身によって所望の方向に所望量だけ回動することで、左右の掛止杆１５，１６の間隔およびそれらの個々の位置を簡単に調整することができ、更に、左右のノーズパッド５，６をユーザー自身によって所望の方向に所望量だけ回動することで、左右のノーズパッド５，６およびそれらの個々の位置を簡単に調整することができる。したがって、本発明のめがね１をユーザーの鼻や耳を始め、ユーザーの顔にユーザーが望むように適切にかつ容易にフィットさせることができる。
【００４３】
その場合、左右のめがねレンズ２，３にそれぞれ左右の鎧９，１０を連結しているので、ボールジョイント１７，１８を設けても、左右のめがねレンズ２，３の有効領域を広くできる。
また、左右のめがねレンズ２，３にそれぞれ連結された左右の鎧９，１０を用いているので、左右のめがねレンズ２，３と左右の鎧９，１０との取付構造が従来と変更しないため、組み付けの手間が低減するとともに、ボールジョイントを設けても、めがね全体のコスト増を抑制できる。
【００４４】
しかも、ボールジョイントをめがね１の６箇所に設けているので、これらの調整をより一層きめ細かく行うことができ、ユーザーの顔により一層適切にフィットさせることができる。
【００４５】
更に、ボールジョイントのボール２３ｄの位置を筒状部２４ｂ１および底部２４ｂ３の挟持力で確実にかつ安定して保持できるので、めがね１を長期間使用しても、整の狂いを抑制できる。
【００４６】
更に、ボールジョイントの第１および第２ジョイント部材２３，２４を着脱可能に連結しているので、第１および第２ジョイント部材２３，２４の一方とノーズパッドとを接続したものを予め用意することで、ノーズパッドが汚れて変色しても、そのノーズパッドのみを簡単に交換することができ、安価に新品と同様にすることができる。
【００４７】
なお、前述の例では、ボールジョイント１７，１８，１９，２０，２１，２２を、左右のめがねレンズ２，３と左右のテンプル１１，１２との間、左右のテンプル１１，１２と左右の掛止杆１５，１６との間、および左右のノーズパッド５，６と左右のノーズパッド連結杆７，８との間にそれぞれ設けているが、本発明のめがねは、ボールジョイントを必ずしもこれらの間のすべてに設ける必要はなく、これらの間の少なくとも１つに設けるようにすることもできる。この場合には、これらの間のボールジョイントが設けられない箇所は、例えば前述の図３に示すような従来のめがねと同じように構成すればよい。
しかし、少なくともめがねレンズとテンプルとの間にボールジョイントを設けることが、調整の最も必要とする箇所であることから調整を効果的に行ううえで好ましい。
【００４８】
また、ボールジョイントの第１および第２ジョイント部材２５，２６の構造、あるいはボールジョイント自体の構成は、図２（ａ）に示すものに限定されることなく、前述の本発明の作用効果を奏するものであれば、どのようなものも採用することができる。例えば、図２（ｄ）に示すように筒状部２６ｂ１の底部２６ｂ３近傍の部分２６ｂ４はその内周径を一定にすることもできるし、また、図２（ｅ）に示すようにこの部分２６ｂ４の内周径を徐々に小さくなるようにすることもできる。
【００４９】
更に、前述の例では、左右の鎧９，１０と左右のテンプル１１，１２との間、左右のテンプル１１，１２と左右の掛止杆１５，１６との間、および左右のノーズパッド５，６と左右のノーズパッド連結杆７，８との間にそれぞれ設けられているボールジョイント１７，１８，１９，２０，２１，２２を、すべて同じ構造のものとしているが、これらの間に設けられるボールジョイントは、その構造あるいはサイズが互いに異なるものにすることもできる。
【００５０】
【発明の効果】
以上の説明から明らかなように、本発明のめがねによれば、左右のめがねレンズに連結された左右の鎧と左右のテンプルとをボールジョイントを介して連結しているので、左右のテンプルをユーザー自身によって所望の方向に所望量だけ回動することにより、これら左右のテンプルの間隔およびそれらの個々の位置を簡単に調整できるようになる。これにより、本発明のめがねの左右のテンプルをそれぞれユーザーの顔にユーザーが望むように適切にかつ容易にフィットさせることができる。
【００５１】
その場合、左右のめがねレンズにそれぞれ左右の鎧を連結することで、ボールジョイントを設けても、左右のめがねレンズの有効領域を広くすることができる。
また、左右のめがねレンズにそれぞれ連結された左右の鎧を用いているので、左右のめがねレンズと左右の鎧との取付構造が従来と変更しないため、組み付けの手間を低減できるとともに、ボールジョイントを設けても、めがね全体のコスト増を抑制できる。
【００５２】
また、左右のノーズパッドと左右のノーズパッド連結杆とを、それぞれ、第２のボールジョイントを介して連結しているので、左右のノーズパッドをユーザー自身によって所望の方向に所望量だけ回動することにより、これら左右のノーズパッドの間隔およびそれらの個々の位置を簡単に調整できるようになる。これにより、本発明のめがねの左右のノーズパッドをユーザーの鼻にユーザーが望むように適切にかつ容易にフィットさせることができる。
【００５３】
更に、左右のテンプルと左右の掛止杆とを、それぞれ、第３のボールジョイントを介して連結しているので、左右の掛止杆をユーザー自身によって所望の方向に所望量だけ回動することにより、これら左右のノーズパッドの間隔およびそれらの個々の位置を簡単に調整できるようになる。これにより、本発明のめがねの左右の掛止杆をユーザーの耳にユーザーが望むように適切にかつ容易にフィットさせることができる。
【００５４】
しかも、ボールジョイントをめがねの左右６箇所に設けることで、前述の調整をより一層きめ細かく行うことができ、めがねがユーザーの顔に、より一層適切にフィットできる。
【００５５】
更に、ボールジョイントのボールをボール収容部により所定の挟持力で挟持することで、ボールの位置を確実にかつ安定して保持できるようになる。したがって、めがねを長期間使用しても、調整の狂いを抑制できるようになる。
【００５６】
更に、ボールジョイントの第１および第２ジョイント部材を着脱可能に連結しているので、第１および第２ジョイント部材の一方とノーズパッドとを接続したものを予め用意することで、ノーズパッドが汚れて変色しても、そのノーズパッドのみを簡単に交換することができ、安価に新品と同様のものにすることができる。
【００５７】
更に、ボールジョイントが第１および第２ジョイント部材の２部材からなるだけであるので、前述の特許文献１に開示の従来のめがねに比べて構造を簡単にできるとともに部品点数を低減でき、更に組み付けを簡単にでき、しかも市販のボールジョイントを利用することも可能であるので、めがねをより安価に製造できる。しかも、ボールジョイントの第１および第２ジョイント部材を、それぞれ、既存のめがねレンズ、既存の鎧、既存のテンプルに連結可能であるので、これらの既存のめがね部品の形状等の大幅な設計変更を回避できる。
【図面の簡単な説明】
【図１】本発明にかかるめがねの実施の形態の一例を概略的に示す斜視図である。
【図２】図１に示す例のめがねに用いられるボールジョイントを示し、  （ａ）はその分解斜視図、（ｂ）はその部分断面図、（ｃ）は組み付け状態を示す部分断面図、（ｄ），（ｅ）はそｒぞれボールジョイントの一変形例を示す（ｃ）と同様の部分断面図である。
【図３】従来のめがねの一例を概略的に示し、（ａ）はその斜視図、（ｂ）は鎧とテンプルとを連結するヒンジ部を示す図である。
【符号の説明】
１…めがね、２，３…めがねレンズ、４…ブリッジ、５，６…ノーズパッド、７，８…ノーズパッド連結杆、９，１０…鎧、１１，１２…テンプル、１３，１４…ヒンジ、１３ａ，１４ａ…鎧側ヒンジ部材、１３ｂ，１４ｂ…テンプル側ヒンジ部材、１３ｃ，１４ｃ…ヒンジピン、１５，１６…掛止杆、１７，１８，１９，２０，２１，２２…ボールジョイント、２３…第１ジョイント部材、２３ａ…軸、２３ｂ…ボール、２４…第２ジョイント部材、２４ａ…雄ねじ、２４ｂ…ボール収容部、２４ｂ１…筒状部、２４ｂ２…開口端面、２４ｂ３…底部、２４ｂ４…底部近傍部、２４ｃ…溝、２５…袋ナット
【図１】
2005055536.tif 000003
【図２】
2005055536.tif 000004
【図３】
2005055536.tif 000005